【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
互いに嵌合するプラグ及びレセプタクルを含み、無線通信モジュールを電子機器に接続するコネクターであって、
前記プラグは、複数の接点を備え、
前記レセプタクルとの接合面の中心に対して点対称な第１及び第２の方向のいずれかの方向で前記レセプタクルに接続された場合に、前記複数の接点が前記レセプタクル側の接点に接続されることを特徴とするコネクター。
【請求項２】
前記複数の接点は、前記プラグが前記第１の方向及び前記第２の方向のいずれかの方向で前記レセプタクルに接続された場合に、各接点に割り当てられた信号線と同一の信号線を割り当てられた前記レセプタクルの接点に接続されることを特徴とする請求項１記載のコネクター。
【請求項３】
互いに嵌合するプラグ及びレセプタクルを含み、無線通信モジュールを電子機器に接続するコネクターであって、
前記プラグは、電源線に接続された複数の第１接点と、接地線に接続された複数の第２接点とを備え、
前記複数の第１接点は、前記レセプタクルとの接合面の中心に対して互いに点対称となる位置に配置され、
前記複数の第２接点は、前記接合面の中心に対して互いに点対称となる位置に配置され、
前記複数の第１及び第２接点は、前記接合面の中心に対して点対称な第１及び第２の方向のいずれかの方向で前記レセプタクルに接続された場合に、前記レセプタクル側の接点に接続されることを特徴とするコネクター。
【請求項４】
前記レセプタクルは、電源線に接続された複数の第３接点と、接地線に接続された複数の第４接点とを備え、
前記複数の第３接点は、前記プラグとの接合面の中心に対して互いに点対称となる位置に配置され、
前記複数の第４接点は、前記接合面の中心に対して互いに点対称となる位置に配置されたことを特徴とする請求項３記載のコネクター。
【請求項５】
前記複数の第３接点は、前記レセプタクルが前記第１の方向及び前記第２の方向のいずれかの方向で前記プラグに接続された場合に、前記プラグの前記電源線に接続された前記複数の第１接点に接続され、
前記複数の第４接点は、前記レセプタクルが前記第１の方向及び前記第２の方向のいずれかの方向で前記プラグに接続された場合に、前記プラグの前記接地線に接続された前記複数の第２接点に接続されることを特徴とする請求項４記載のコネクター。
【請求項６】
前記プラグは、画像データの通信に使用する差動信号線対に接続する複数の第５接点を備え、
前記レセプタクルは、前記プラグが前記第１の方向で前記レセプタクルに接続された場合に前記差動信号線対に接続される複数の第６接点と、前記プラグが前記第２の方向で前記レセプタクルに接続された場合に前記差動信号線対に接続される複数の第７接点とを備えることを特徴とする請求項３から５のいずれか一項に記載のコネクター。
【請求項７】
前記レセプタクルに対する前記プラグの接続方向である前記第１の方向と前記第２の方向とを判定する複数の信号線に接続した複数の第８接点を備えることを特徴とする請求項３から６のいずれか一項に記載のコネクター。
【請求項８】
前記コネクターは、２ＧＨｚ以上の周波数帯域の電波を使用して無線通信を行う無線通信モジュールと、電子機器とを接続するコネクターであることを特徴とする請求項３から７のいずれか一項記載のコネクター。
【請求項９】
前記プラグは、前記無線通信モジュールに設けられ、
前記レセプタクルは、前記電子機器に設けられることを特徴とする請求項３から８のいずれか一項に記載のコネクター。
【請求項１０】
前記プラグ及び前記レセプタクルは、２行ｎ列（ｎは２以上の偶数）に配置された２×ｎ個の接点を備えており、
少なくとも、第１行目の一端からｎ／２番目の接点、第１行目の一端から（ｎ／２）＋１番目の接点、第２行目の一端からｎ／２番目の接点、及び第２行目の一端から（ｎ／２）＋１番目の接点が電源線に割り当てられていることを特徴とする請求項３から９のいずれか一項に記載のコネクター。
【請求項１１】
前記プラグ及び前記レセプタクルは、２行ｎ列（ｎは３以上の奇数）に配置された２×ｎ個の接点を備えており、
少なくとも、第１行目の一端から（ｎ＋１）／２番目の接点、及び第２行目の一端から（ｎ＋１）／２番目の接点が電源線に割り当てられていることを特徴とする請求項３から９のいずれか一項に記載のコネクター。
【請求項１２】
前記プラグ及び前記レセプタクルは、２行ｎ列（ｎは２以上の自然数）に配置された２×ｎ個の接点を備えており、
少なくとも、第１行目及び第２行目の、ｎ以下であって、一端から１＋３ｍ（ｍは０以上の整数）番目の接点が接地線に割り当てられていることを特徴とする請求項３から１１のいずれか一項に記載のコネクター。
【請求項１３】
無線通信回路を収容する本体と、接続対象の電子機器が備えるレセプタクルに嵌合して接続されるプラグとを備え、
前記プラグは、複数の接点を備え、前記レセプタクルとの接合面の中心に対して点対称な第１及び第２の方向のいずれかの方向で前記レセプタクルに接続された場合に、前記複数の接点が前記レセプタクル側の接点に接続されることを特徴とする無線通信モジュール。
【請求項１４】
前記本体は、通信可能な指向性アンテナを備えることを特徴とする請求項１３記載の無線通信モジュール。
【請求項１５】
前記本体のいずれか１の面に、前記指向性アンテナを複数有することを特徴とする請求項１４記載の無線通信モジュール。
【請求項１６】
請求項１３から１５のいずれか一項に記載の無線通信モジュールと、前記レセプタクルとを接続して構成されることを特徴とする無線通信装置。
【請求項１７】
請求項１６に記載の無線通信装置を備えることを特徴とする電子機器。
【手続補正２】
【補正対象書類名】明細書
【補正対象項目名】００１９
【補正方法】変更
【補正の内容】
【００１９】
また、本発明の無線通信装置は、上記無線通信モジュールと、前記レセプタクルとを接続して構成されることを特徴とする。
本構成によれば、通信状態のよい方向を選択してプラグをレセプタクルに接続することで、設置場所によらず、良好な通信状態を実現することができる。
【手続補正３】
【補正対象書類名】明細書
【補正対象項目名】００２０
【補正方法】変更
【補正の内容】
【００２０】
本発明の電子機器は、上記無線通信装置を備えることを特徴とする。
本構成によれば、通信状態のよい方向を選択してプラグをレセプタクルに接続すること
で、設置場所によらず、良好な通信状態を実現することができる。
【手続補正４】
【補正対象書類名】明細書
【補正対象項目名】００３０
【補正方法】変更
【補正の内容】
【００３０】
プロジェクター１は、画像処理部２４を備える。
画像処理部２４は、制御部２０の制御に従って、Ｉ／Ｆ部３１を介して入力される画像データを処理し、光変調装置駆動部２３に画像信号を出力する。画像処理部２４が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部２４は、制御部２０により指定された処理を実行し、必要に応じて、制御部２０から入力されるパラメーターを使用して処理を行う。また、上記のうち複数の処理を組み合わせて実行することも勿論可能である。
また、画像処理部２４は、フレームメモリー２５に接続されている。画像処理部２４は、Ｉ／Ｆ部３１から入力される画像データをフレームメモリー２５に展開して、展開した画像データに対し上記の各種処理を実行する。画像処理部２４は、処理後の画像データをフレームメモリー２５から読み出して、この画像データに対応するＲ、Ｇ、Ｂの画像信号を生成し、光変調装置駆動部２３に出力する。光変調装置１２の液晶パネルに接続される光変調装置駆動部２３は、画像処理部２４から入力される画像信号に基づいて液晶パネルを駆動し、各液晶パネルに画像を描画する。
【手続補正５】
【補正対象書類名】明細書
【補正対象項目名】００３６
【補正方法】変更
【補正の内容】
【００３６】
正面接続をした場合、オス側コネクター１１０とメス側コネクター１２０とは、端子番号の同じ接続端子同士が接続される。例えば、オス側コネクター１１０の端子番号１の接続端子は、メス側コネクター１２０の端子番号１の接続端子と接続される。以下、同様にしてオス側コネクター１１０の端子番号２，３，４，・・・，８，９，１０の接続端子は、メス側コネクター１２０の端子番号２，３，４，・・・，８，９，１０の接続端子に接続される。また、オス側コネクター１１０の端子番号１１，１２，１３，・・・，１８，１９，２０の接続端子は、メス側コネクター１２０の端子番号１１，１２，１３，・・・，１８，１９，２０の接続端子に接続される。また、メス側コネクター１２０の各接続端子は、対応するオス側コネクター１１０の接続端子が挿入された際に、当該挿入された接続端子に割り当てられた信号線と同一の信号線が割り当てられている。例えば、オス側コネクター１１０の端子番号５，６，１５，１６の接続端子は、電源線に接続されているため、メス側コネクター１２０の端子番号５，６，１５，１６の接続端子も電源線が接続されている。また、オス側コネクター１１０の端子番号１，４，７，１０，１１，１４，１７，２０の接続端子は、接地線に接続されている。従って、メス側コネクター１２０の端子番号１，４，７，１０，１１，１４，１７，２０の接続端子も、接地線に接続されている。また、オス側コネクター１１０の端子番号１２の接続端子は、差動信号線の＋側（ポジティブ側）に接続され、端子番号１３番の接続端子は、差動信号線の−側（ネガティブ側）に接続されている。従って、メス側コネクター１２０の端子番号１２の接続端子は、差動信号線の＋側（ポジティブ側）に接続され、端子番号１３番の接続端子は、差動信号線の−側（ネガティブ側）に接続されている。